(57)【要約】【課題】ハウジングとは別体のキーボードを装置本体と一体にして持ち運びできるようにする。【解決手段】  情報処理装置１０１は、各部を収納するハウジング１０２と、このハウジング１０２とは別体に設けられたキーボード１０５と、ハウジング１０２の上面に設けられてキーボードの載置を許容する載置面１１１と、載置面１１１に載置されたキーボード１０５の水平方向への移動を規制する規制部１１３、１１４、１２０と、を備える。【選択図】図５
2008198070.tif 000002
【特許請求の範囲】
【請求項１】
各部を有するハウジングと、
前記ハウジングとは別体に設けられたキーボードと、
前記ハウジングの上面に設けられて前記キーボードの載置を許容する載置面と、
前記載置面に載置された前記キーボードの水平方向への移動を規制する規制部と、
を備える情報処理装置。
【請求項２】
前記ハウジングの前方に設けられた表示部と、
前記表示部を前記載置面に載置された前記キーボードの方向にチルトさせるチルト機構と、
を備え、
前記規制部は、
前記載置面の後方両隅に突出形成されて、当該載置面に載置された前記キーボードに接触して当該キーボードの後方方向への移動と左右方向への移動とを規制する一対の突出片と、
前記チルト機構が前記表示部をチルトさせることによって前記載置面に載置されて前記キーボードと接触して当該キーボードの前方方向への移動を規制する前記表示部の裏面である表示部裏面と、
を備える、
請求項１記載の情報処理装置。
【請求項３】
前記突出片は、
当該突出片の前面に設けられ、前記載置面に載置された前記キーボードと接触して当該キーボードの後方方向への移動を規制する片前面と、
一対の前記突出片同士の対面する側面に設けられ、前記載置面に載置された前記キーボードと接触して当該キーボードの左右方向への移動を規制する片側面と、
を備え、
前記キーボードは、
前記片前面と接触する第１の面と、前記片側面と接触する第２の面とを有する形状に形成された凹部を有する、
請求項２記載の情報処理装置。
【請求項４】
前記ハウジングは、
背面と、
前記背面と前記載置面とを接続し湾曲部分を有する後方接続面と、
を備え、
前記突出片は、
前記片前面と前記片側面とを接続し、前記後方接続面の湾曲部分と連続した湾曲形状を有する片上面を備える、
請求項３記載の情報処理装置。
【請求項５】
前記ハウジングは、
両方の側面と、
前記側面と前記載置面とを接続する側方接続面と、
を有し、
前記キーボードの幅方向の長さは、前記載置面の幅方向の長さ以下である、
請求項４記載の情報処理装置。
【請求項６】
前記側面の下部には、切り欠き形成された持ち手部が設けられている、
請求項５記載の情報処理装置。
【請求項７】
前記載置面に載置されて前記規制部によって移動規制された状態における前記キーボードの両側部分と、前記側方接続面とは、前記持ち手部を持った状態の両腕を表す仮想線に干渉しない、
請求項６記載の情報処理装置。
【発明の詳細な説明】
【技術分野】
【０００１】
本発明は、例えば事務機等のキーボードを有する情報処理装置に関する。
【背景技術】
【０００２】
従来、キーボードの操作によってデータの入力が行われる情報処理装置には、会計処理等を一台で行うことができる事務機がある（例えば、特許文献１参照）。このような事務機は、キーボードの他に、表示部と印字機構とをそれぞれハウジングの前方と内部とに備える。表示部には、キーボードを介して入力されたデータに基づく情報が表示される。また、入力されたデータに基づく印字情報が印字機構によって用紙に印字されて排紙される。
【０００３】
キーボードは、一般的に、ハウジングの前方で表示部の下方位置に配置されている。
【０００４】
【特許文献１】特許第３７７６６３３号公報
【発明の開示】
【発明が解決しようとする課題】
【０００５】
事務機等の情報処理装置については、その使用環境（例えば、載置されるテーブルの大きさや形状等）は様々である。したがって、ハウジングとキーボードとを別体とすることにより使用時のレイアウトが自由になり、キーボード操作に際しての利便性が増す。
【０００６】
しかしながら、キーボードが別体である場合、ハウジングによって構成される装置本体とキーボードとを一体にして持ち運ぶことはできない。そのため、装置本体とキーボードとを接続するケーブルを外し、それぞれを別々に持ち運ばなければならず、非常に不便である。
【０００７】
本発明の目的は、ハウジングとは別体のキーボードを、ハウジングによって構成される装置本体と一体にして持ち運びできるようにすることである。
【課題を解決するための手段】
【０００８】
本発明の情報処理装置は、各部を収納するハウジングと、前記ハウジングとは別体に設けられたキーボードと、前記ハウジングの上面に設けられて前記キーボードの載置を許容する載置面と、前記載置面に載置された前記キーボードの水平方向への移動を規制する規制部と、を備える。
【発明の効果】
【０００９】
本発明によれば、ハウジングとは別体のキーボードがハウジングの上面に設けられた載置面に載置され規制部によって水平方向への移動が規制されるため、キーボードと装置本体とを一体にして持ち運ぶことができる。
【発明を実施するための最良の形態】
【００１０】
本発明の第１の実施の形態について図１ないし図８に基づいて説明する。本実施の形態は、事務機１０１への適用例である。
【００１１】
図１は、第１の実施の形態における事務機１０１を示す斜視図である。事務機１０１は、各部を収納するハウジング１０２を有する。ハウジング１０２の前面には、タッチパネル付きの表示画面１０４を有する表示部１０３が設けられている。事務機１０１は、表示部１０３をハウジング１０２の前面位置でチルト自在に保持するチルト機構（図示せず）を有する。
【００１２】
ハウジング１０２の前方であって表示部１０３の下方位置には、複数のキー１０６が配列されたキーボード１０５が配置されている。キーボード１０５は、ハウジング１０２とは別体であり、ハウジング１０２に対して固定されて取り付けられているものではない。キーボード１０５とハウジング１０２とは、ケーブル（図示せず）によって接続されている。キーボード１０５の操作によって、ハウジングに内蔵された情報処理部（図示せず）に対してデータの入力が実行される。情報処理部は、入力されたデータに基づく情報を表示部１０３の表示画面１０４に表示させる。
【００１３】
ハウジング１０２には、用紙（例えば、伝票用紙）に対して印字搬送を実行する印字機構（図示せず）が内蔵されている。表示部１０３の下方位置には、印字機構に対して用紙を挿入するための挿入口１０７が設けられている。情報処理部の制御によって、印字機構は、挿入口１０７から挿入された用紙を搬送し、入力されたデータに基づく印字情報を印字し、ハウジング１０２の上面に形成されている排紙口１０８から排紙する。排紙口１０８は、ハウジング１０２の上面に着脱自在に取り付けられたトップカバー１０９の一の辺部とこの辺部と対面するハウジング１０２の一部とによって形成されている。トップカバー１０９は、ハウジング１０２の上面の一部を構成する。挿入口１０７の後方側には、挿入口１０７から排紙された用紙を受ける用紙受部１１０がハウジング１０２に対して取り付けられている。
【００１４】
ハウジング１０２は、ハウジング１０２の外部に露出した表示部１０３やハウジング１０２に収納された印字機構等と共に事務機１０１の装置本体を構成する。
【００１５】
本実施の形態の事務機１０１は、トップカバー１０９を含むハウジング１０２の上面に、キーボード１０５の載置を許容する載置面１１１を有する。本実施の形態では、載置面１１１に載置されたキーボード１０５の水平方向への移動を規制することができる。ここで、「水平方向」とは、完全に水平な方向のみに限定されない。このようなキーボード１０５の移動規制は、載置面１１１の後方位置に形成された一対の突出片１１３とキーボード１０５の後述する凹部１２０との接触、及び、表示部１０３の裏面である表示部裏面１１４とキーボード１０５の後述する辺部分１０５ａとの接触によって実現される。つまり、突出片１１３、表示部裏面１１４、及びキーボード１０５の凹部１２０と辺部分１０５ａとは、載置面１１１に載置されたキーボード１０５の水平方向への移動を規制する規制部を構成する。
【００１６】
図２は、突出片１１３を示す斜視図である。突出片１１３は、ハウジング１０２と一体的に形成されている。突出片１１３は、表示部裏面１１４（図４参照）側に向けて突出片１１３の前面に設けられた平面状の片前面１１７と、一対の突出片１１３同士の対面する側面に設けられた平面状の片側面１１８と、片前面１１７と片側面１１８とを接続して湾曲形状を有する片上面１１９とを備える。片前面１１７は、載置面１１１に載置されたキーボード１０５と接触してキーボード１０５の後方方向への移動を規制する。片側面１１８は、載置面１１１に載置されたキーボード１０５と接触してキーボード１０５の左右方向への移動を規制する。片前面１１７及び片側面１１８は、平面に限られず、凹凸部分が形成されていてもよい。
【００１７】
図３は、キーボード１０５が載置面１１１に載置されている状態の事務機１０１を示す正面図である。図４は、その側面図である。図５は、その斜視図である。
【００１８】
キーボード１０５の幅方向（図３の左右方向）の長さは、載置面１１１の幅方向よりも短い。また、キーボード１０５の奥行き方向（図４の左右方向）の長さは、載置面１１１の奥行き方向の長さよりも短い。したがって、載置面１１１は、キーボード１０５を脱落させずにキーボード１０５の載置を許容する。
【００１９】
ハウジング１０２の側方（図３の左右方向）には、ほぼ垂直な側面１２１が形成されている。側面１２１と載置面１１１とは、傾斜した側方接続面１２２によって連続的に接続されている。側面１２１の下部には、持ち手部１２３が切り欠き形成されている。持ち手部１２３は、例えば、ハウジング１０２を両側から抱えて持ち運ぶ際にハウジング１０２の下面に手を入れるようにして使用される（図８参照）。
【００２０】
ハウジング１０２の後方（図４の右方向）には、ほぼ垂直な背面１１５が形成されている。載置面１１１と背面１１５とは、載置面１１１から背面１１５に傾斜した後方接続面１１６によって連続的に接続している。後方接続面１１６における載置面１１１との接続部分１１６ａ及び背面１１５との接続部分１１６ｂは、面取りされて湾曲した形状を有している。
【００２１】
キーボード１０５の後方（厚みの大きい方）の両隅には、キーボード１０５の上面の後方端から下面に向けて切り欠き形成された凹部１２０が形成されている。凹部１２０は、側方から見て三角形状を有している。突出片１１３は、載置面１１１に載置された状態のキーボード１０５の凹部１２０が形成する面と接触する。
【００２２】
突出片１１３は、接続部分１１６ａの近傍に形成されている。突出片１１３の片前面１１７（図２参照）は、載置面１１１に載置されたキーボード１０５を前方（表示部１０３側）に脱落させない位置でキーボード１０５と接触する。
【００２３】
また、一対の突出片１１３の片側面１１８（図２参照）同士が形成する距離は、片側面１１８と接触する凹部１２０が形成する第２の面１２７（図６及び図７参照）同士が形成する距離よりもわずかに長い。
【００２４】
こうして、載置面１１１に載置されたキーボード１０５は突出片１１３との接触によって、後方方向への移動と左右方向への移動とが規制される。
【００２５】
ところで、前述したように、表示部１０３は、チルト機構によって載置面１１１の方向にチルト可能となっている。チルト機構は、表示部１０３を任意の位置で位置保持する。このようなチルト機構の構造等については、その内容が周知なので説明を省略する。表示部１０３をさらにキーボード１０５に向けてチルトさせることにより、表示部裏面１１４は、突出片１１３が凹部１２０と接触した状態のキーボード１０５と接触する（図６及び図７参照）。
【００２６】
図６は、表示部裏面１１４をキーボード１０５に接触させた状態の事務機１０１の一部を拡大して示す側面図である。図７は、その斜視図である。
【００２７】
まず、突出片１１３とキーボード１０５の凹部１２０とについてさらに説明する。
【００２８】
突出片１１３は、片前面１１７（図２参照）とは反対側の部分が後方接続面１１６の接続部分１１６ａにかかる位置で、ハウジング１０２の載置面１１１に一体的に形成されている。突出片１１３の上面である片上面１１９は、表示部１０３の方向から用紙受部１１０の方向に向けて傾斜している。そして、片上面１１９の形状は、事務機１０１を側方から見て、接続部分１１６ａが有する湾曲と連続するようにして湾曲している。
【００２９】
キーボード１０５の凹部１２０は、三角形状の切り欠けを形成する傾斜面１２５を有する。さらに、凹部１２０は、傾斜面１２５とキーボード１０５の下面とを接続する垂直な第１の面１２６と、傾斜面１２５と第１の面１２６と接続してキーボード１０５の側面と平行な第２の面１２７とを有する。そして、突出片１１３の片前面１１７（図２参照）と第１の面１２６とが接触し、片側面１１８と第２の面１２７とが接触することにより、突出片１１３と凹部１２０とが接触する。第１の面１２６及び第２の面１２７は、平面に限られず、凹凸部分が形成されていてもよい。
【００３０】
図６に示すように、キーボード１０５に向けてチルトした表示部１０３の表示部裏面１１４は、載置面１１１に載置されてその凹部１２０に突出片１１３が接触している状態のキーボード１０５の前方の辺部分１０５ａと接触している。表示部１０３がチルト機構によって位置保持されていることから、キーボード１０５は、表示部裏面１１４との接触によって前方（表示部１０３側）への移動が規制される。
【００３１】
図８は、キーボード１０５が載置面１１１に載置されて移動規制された状態の事務機１０１とこの事務機１０１を持ち上げている人体を表す仮想線１５１とを模式的に示す正面図である。図８中では表示部１０３を省略して事務機１０１を示している。点線で示す仮想線１５１によって表される人体は、ハウジング１０２の後方から持ち手部１２３を持って事務機１０１を持ち上げている。前述したように、キーボード１０５の幅方向の長さが載置面１１１の幅方向の長さよりも短く、また、側方接続面１２２によってハウジング１０２は面取りされている。そして、キーボード１０５の両側部分Ａ及び側方接続面１２２とは、持ち手部１２３を持った状態の両腕の部分を表す仮想線１５１ａに干渉しない。
【００３２】
このような構成において、ハウジング１０２から構成される事務機１０１の装置本体とキーボード１０５とを一体にして持ち運ぶためには、まず、キーボード１０５を載置面１１１に載置させて凹部１２０と突出片１１３とを接触させる。これにより、載置面１１１に載置されたキーボード１０５は、後方方向への移動と左右方向への移動とが規制される。そして、表示部１０３をチルトさせて表示部裏面１１４とキーボード１０５とを接触させる。これにより、載置面１１１に載置されて突出片１１３と接触しているキーボード１０５は、前方方向への移動が規制される。
【００３３】
こうして、キーボード１０５は、ハウジング１０２の載置面１１１に載置され、さらに水平方向の全方向である前後左右方向への移動が規制されるため、別体のキーボード１０５をハウジング１０２の載置面１１１から落下させずに事務機１０１の装置本体と一体にして持ち運ぶことができる。また、キーボード１０５を載置面１１１に載置させて移動規制させた状態で箱等に収納できるので、出荷のための梱包もコンパクトに行うことができる。
【００３４】
持ち手部１２３を持って持ち運びをする場合について、本実施の形態によれば、図８に示すように、ハウジング１０２の側方接続面１２２や載置面１１１に載置されたキーボード１０５による両腕への干渉がないため、事務機１０１を持ち運び易くなる。
【００３５】
また、突出片１１３の片上面１１９が接続部分１１６ａと連続した湾曲形状を有しているため、突出片１１３とハウジング１０２とが一体的であり、事務機１０１を側方から見た場合の美観に優れている。また、例えば、背面１１５に連続用紙を搬送するためのトラクタが設置された状態であっても、片上面１１９が後方に向けて傾斜しているため、突出片１１３はトラクタを隠さず、表示部１０３側からトラクタに連続用紙をセットする作業を妨害しない。
【００３６】
さらに、キーボード１０５に形成された凹部１２０によって、キーボード１０５の背面及び側面の一部が面取りされて、キーボード１０５の厚みを薄く見せることができる。
【００３７】
次に、本発明の第２の実施の形態について図９及び図１０に基づいて説明する。図１ないし図８に基づいて説明した第１の実施の形態と同一の部分は同一の符号で示し説明も省略する。本実施の形態が第１の実施の形態と異なる主な点は、キーボード１０５の載置面１１１上の移動を規制する規制部である突出片の形態である。
【００３８】
図９は、第２の実施の形態における事務機１０１を示す斜視図である。図１０は、キーボード１０５が載置面１１１に載置されている状態の第２の実施の形態における事務機１０１を示す斜視図である。
【００３９】
図９に示すように、本実施の形態の突出片２０１は、板状の部材を直角に屈曲させたような形状を有して、後方接続面１１６にかかる位置でハウジング１０２に一体的に形成されている。突出片２０１は、その屈曲により形成される凹部分を載置面１１１の中心に向けて配置されている。つまり、突出片２０１は、側面１２１側の板部分が形成する面２０１ａと、背面１１５側の板部分が形成する面２０１ｂとを有する。また、本実施の形態では、キーボード１０５の後方両隅には凹部１２０が設けられていない。そして、図１０に示すように、突出片２０１は、面２０１ａと面２０１ｂによってキーボード１０５の後方側の両隅と接触する。一対の突出片２０１について、面２０１ａ同士の距離は、キーボード１０５の側面間距離よりもわずかに長い。また、面２０１ｂは、載置面１１１に載置されたキーボード１０５を前方（表示部１０３側）に脱落させない位置で接触する。これにより、載置面１１１に載置されたキーボード１０５は、後方への移動と左右方向への移動とが規制される。そして、この状態から表示部１０３をチルトさせて表示部裏面１１４とキーボード１０５とを接触させる。これにより、突出片２０１と接触しているキーボード１０５は、前方方向への移動が規制される。
【００４０】
次に、本発明の第３の実施の形態について図１１ないし図１３に基づいて説明する。図１ないし図８に基づいて説明した第１の実施の形態と同一の部分は同一の符号で示し説明も省略する。
【００４１】
図１１は、第３の実施の形態における事務機１０１を示す斜視図である。図１２は、第３の実施の形態におけるキーボード１０５をその下面３０２側から見た斜視図である。図１３は、キーボード１０５が載置面１１１に載置されている状態の第３の実施の形態における事務機１０１を示す斜視図である。
【００４２】
本実施の形態の事務機１０１は、図１１に示すように、キーボード１０５の載置面１１１上での移動を規制する規制部の一部として、載置面１１１の両側に設けられてハウジング１０２と一体的に形成された一対のピン３０１を有する。ピン３０１は先端に向けて次第に細くなる形状を有している。図１２に示すように、キーボード１０５の下面３０２には、その両側部分にピン３０１が差し込まれる一対のピン孔３０３が形成されている。ピン３０１をピン孔３０３に差し込むことにより、図１３に示すように、載置面１１１に載置されたキーボード１０５は、前後方への移動と左右方向への移動とが規制される。本実施の形態では、表示部１０３をチルトさせて表示部裏面１１４をキーボード１０５と接触させることなく、キーボード１０５の前後左右方向の移動が規制される。
【００４３】
第２実施の形態及び第３の実施の形態によっても、キーボード１０５は、ハウジング１０２の載置面１１１に載置されて水平方向への移動が規制されるため、別体のキーボード１０５を事務機１０１の装置本体と一体にして持ち運ぶことができる。
【図面の簡単な説明】
【００４４】
【図１】第１の実施の形態における事務機を示す斜視図である。
【図２】突出片を示す斜視図である。
【図３】キーボードが載置面に載置されている状態の事務機を示す正面図である。
【図４】キーボードが載置面に載置されている状態の事務機を示す側面図である。
【図５】キーボードが載置面に載置されている状態の事務機を示す斜視図である。
【図６】表示部裏面をキーボードに接触させた状態の事務機の一部を拡大して示す側面図である。
【図７】表示部裏面をキーボードに接触させた状態の事務機の一部を拡大して示す斜視図である。
【図８】キーボードが載置面に載置されて移動規制された状態の事務機とこの事務機を持ち上げている人体を表す仮想線とを模式的に示す正面図である。
【図９】第２の実施の形態における事務機を示す斜視図である。
【図１０】キーボードが載置面に載置されている状態の第２の実施の形態における事務機を示す斜視図である。
【図１１】第３の実施の形態における事務機を示す斜視図である。
【図１２】第３の実施の形態におけるキーボードをその下面側から見た斜視図である。
【図１３】キーボードが載置面に載置されている状態の第３の実施の形態における事務機を示す斜視図である。
【符号の説明】
【００４５】
１０１…事務機（情報処理装置）、１０２…ハウジング、１０３…表示部、１０５…キーボード、１１１…載置面、１１３…突出片、１１４…表示部裏面、１１５…背面、１１６…後方接続面、１１７…片前面、１１８…片側面、１１９…片上面、１２０…凹部、１２１…側面、１２２…側方接続面、１２３…持ち手部、１２６…第１の面、１２７…第２の面、１５１ａ…仮想線
【図１】
2008198070.tif 000003
【図２】
2008198070.tif 000004
【図３】
2008198070.tif 000005
【図４】
2008198070.tif 000006
【図５】
2008198070.tif 000007
【図６】
2008198070.tif 000008
【図７】
2008198070.tif 000009
【図８】
2008198070.tif 000010
【図９】
2008198070.tif 000011
【図１０】
2008198070.tif 000012
【図１１】
2008198070.tif 000013
【図１２】
2008198070.tif 000014
【図１３】
2008198070.tif 000015